(57)【要約】【課題】１日２４時間のうち電源オン状態でのアナログ放送の視聴時間または／およびデジタル放送の視聴時間に応じてタイマ部の時刻設定を行うためのオートクロックを実施することができる放送受信装置を提供する。【解決手段】例えばＡＭ１２：００になった後、電源がオン状態であり、アナログ放送を視聴していると、その視聴時間が計測される。例えばＰＭ１１：５９になったとき、アナログ放送の視聴時間がデジタル放送の視聴時間以上であると判定されたとき、アナログ視聴メモリに＋１が記憶される。アナログ放送の視聴時間がデジタル放送の視聴時間未満であると判定されたとき、デジタル視聴メモリに＋１が記憶される。アナログ視聴メモリの値がデジタル視聴メモリの値以上であると判定されたとき、アナログ放送の放送信号に含まれる時刻情報に従ってタイマ部の時刻設定を行うためのオートクロックが実施される。【選択図】図３
2009071760.tif 000002
【特許請求の範囲】
【請求項１】
選局指示されたアナログテレビジョン放送局からのアナログ放送信号を受信するアナログチューナと、選局指示されたデジタルテレビジョン放送局からのデジタル放送信号を受信するデジタルチューナとを備えた放送受信装置において、
１日２４時間のうちでアナログテレビジョン放送の視聴時間または／およびデジタルテレビジョン放送の視聴時間の計測を行うための計測開始時刻および計測終了時刻を予めメモリに設定する計測開始時刻／計測終了時刻設定手段と、
前記計測開始時刻になってから装置の電源がオン状態になったか否かを判定する電源オン状態判定手段と、
前記電源がオン状態であると判定されたとき、アナログテレビジョンのモードに設定されているかデジタルテレビジョンのモードに設定されているかを検出することによりアナログテレビジョン放送を視聴しているかデジタルテレビジョン放送を視聴しているかを判定する視聴判定手段と、
前記アナログテレビジョン放送を視聴していると判定されたとき、前記アナログテレビジョン放送の視聴時間を計測するアナログ視聴時間計測手段と、
前記デジタルテレビジョン放送を視聴していると判定されたとき、前記デジタルテレビジョン放送の視聴時間を計測するデジタル視聴時間計測手段と、
前記計測終了時刻になったとき、前記計測されたアナログテレビジョン放送の視聴時間と前記計測されたデジタルテレビジョン放送の視聴時間とを比較する視聴時間比較手段と、
前記比較により、前記計測されたアナログテレビジョン放送の視聴時間が前記計測されたデジタルテレビジョン放送の視聴時間を超えると判定されたとき、アナログ視聴メモリの値をインクリメントするアナログ視聴インクリメント手段と、
前記比較により、前記計測されたアナログテレビジョン放送の視聴時間が前記計測されたデジタルテレビジョン放送の視聴時間未満であると判定されたとき、デジタル視聴メモリの値をインクリメントするデジタル視聴インクリメント手段と、
前記比較により、前記計測されたアナログテレビジョン放送の視聴時間と前記計測されたデジタルテレビジョン放送の視聴時間とが同じであると判定されたとき、アナログ視聴メモリの値またはデジタル視聴メモリの値をインクリメントするインクリメント手段と、
前記アナログ視聴メモリの値と前記デジタル視聴メモリの値とを比較するメモリ値比較手段と、
前記比較により、前記アナログ視聴メモリの値が前記デジタル視聴メモリの値の超えると判定されたとき、アナログ放送の放送信号に含まれる時刻情報に従ってタイマ部の時刻設定を行うためのオートクロックを実施し、前記アナログ視聴メモリの値が前記デジタル視聴メモリの値未満であると判定されたとき、デジタル放送の放送信号に含まれる時刻情報に従ってタイマ部の時刻設定を行うためのオートクロックを実施し、前記アナログ視聴メモリの値と前記デジタル視聴メモリの値とが同じであると判定されたとき、アナログ放送またはデジタル放送の放送信号に含まれる時刻情報に従ってタイマ部の時刻設定を行うためのオートクロックを実施するオートクロック実施手段と、を備えたことを特徴とする放送受信装置。
【請求項２】
前記アナログ視聴時間計測手段は、電源オンされ、アナログテレビジョンモードになってからの時間の経過を計測することにより、アナログテレビジョン放送の視聴時間を計測することを特徴とする請求項１に記載の放送受信装置。
【請求項３】
前記デジタル視聴時間計測手段は、電源オンされ、デジタルテレビジョンモードになってからの時間の経過を計測することにより、デジタルテレビジョン放送の視聴時間を計測することを特徴とする請求項１に記載の放送受信装置。
【請求項４】
前記オートクロック実施手段は、装置の電源がオフされているとき、または指定時刻になったとき、オートクロックを実施することを特徴とする請求項１に記載の放送受信装置。
【発明の詳細な説明】
【技術分野】
【０００１】
本発明は、アナログチューナとデジタルチューナとを備えた放送受信装置に関し、特に、タイマ部に現在時刻を設定するオートクロックを実施するための処理に関する。
【背景技術】
【０００２】
テレビジョン受像機、光ディスク記録再生装置（ＤＶＤレコーダ、ＢＤレコーダなど）、ハードディスクレコーダなどに備えられている放送受信装置は、タイマ部に現在時刻を設定する機能を有している。そして、放送受信装置では、タイマ部に現在時刻を設定するため、先ず、アナログ放送局に対するオートチャンネルサーチを実行し、このオートチャンネルサーチが終了すると、アナログ放送信号に含まれる時刻情報に従ってタイマ部の時刻設定を行うためのオートクロックを実施する。次に、デジタル放送局に対するオートチャンネルサーチを実行し、このオートチャンネルサーチが終了すると、デジタル放送信号に含まれる時刻情報に従ってタイマ部の時刻設定を行うためのオートクロックを実施する。
【特許文献１】特開２００６−０９４３５８号公報
【特許文献２】特開２００４−０９３２７７号公報
【特許文献３】特開２０００−１３１４７１号公報
【発明の開示】
【発明が解決しようとする課題】
【０００３】
従来の放送受信装置では、前述したように、アナログ放送局に対するオートチャンネルサーチを実行し、このオートチャンネルサーチが終了すると、アナログ放送信号に含まれる時刻情報に従ってタイマ部の時刻設定を行うためのオートクロックを実施し、次に、デジタル放送局に対するオートチャンネルサーチを実行し、このオートチャンネルサーチが終了すると、デジタル放送信号に含まれる時刻情報に従ってタイマ部の時刻設定を行うためのオートクロックを実施しているので、オートクロックに要する時間が多くかかる。
【０００４】
また、従来の放送受信装置においては、アナログ放送しか受信できない地域のユーザは、アナログ放送でオートクロックを行う方を選択する必要があり、デジタル放送しか受信できない地域のユーザは、アナログ放送でオートクロックを行う方を選択する必要がある。また、アナログ放送が多くてデジタル放送が少ない地域のユーザは、アナログ放送でオートクロックを行う方が良いので、アナログ放送でオートクロックを行う方を選択し、逆に、デジタル放送が多くてアナログ放送が少ない地域のユーザは、デジタル放送でオートクロックを行う方が良いので、デジタル放送でオートクロックを行う方を選択する。しかし、そのような選択は、ユーザにとっては面倒であった。
【０００５】
なお、特許文献１の従来技術は、任意に時刻設定が可能なタイマ部と、デジタル放送から時間情報を入手する時間情報入力手段と、前記入手した時間情報に基づいてアナログ放送の受信時に前記時間情報に基づく時計表示を行わせるようにしているが、１日２４時間のうち電源オン状態でのアナログテレビジョン放送の視聴時間または／およびデジタルテレビジョン放送の視聴時間に応じて、タイマ部の時刻設定を行うためのオートクロックを実施することについては開示されていない。
【０００６】
特許文献２の従来技術は、マイクロコンピュータのプログラムストップ機能を活用しつつ正確な時間計測が行える時計機能内蔵装置を提供するものであり、１日２４時間のうち電源オン状態でのアナログテレビジョン放送の視聴時間または／およびデジタルテレビジョン放送の視聴時間に応じて、タイマ部の時刻設定を行うためのオートクロックを実施することについては開示されていない。
【０００７】
特許文献３の従来技術は、デジタル放送とアナログ放送に対して、内部時計の基準時刻情報を統一できるようにしているが、１日２４時間のうち電源オン状態でのアナログテレビジョン放送の視聴時間または／およびデジタルテレビジョン放送の視聴時間に応じて、タイマ部の時刻設定を行うためのオートクロックを実施することについては開示されていない。
【０００８】
本発明は、上記のような課題を解決するためになされたもので、１日２４時間のうち電源オン状態でのアナログテレビジョン放送の視聴時間または／およびデジタルテレビジョン放送の視聴時間に応じて、タイマ部の時刻設定を行うためのオートクロックを実施することができる放送受信装置を提供することを目的とする。
【課題を解決するための手段】
【０００９】
上記目的を達成するために、請求項１の発明は、選局指示されたアナログテレビジョン放送局からのアナログ放送信号を受信するアナログチューナと、選局指示されたデジタルテレビジョン放送局からのデジタル放送信号を受信するデジタルチューナとを備えた放送受信装置において、１日２４時間のうちでアナログテレビジョン放送の視聴時間または／およびデジタルテレビジョン放送の視聴時間の計測を行うための計測開始時刻および計測終了時刻を予めメモリに設定する計測開始時刻／計測終了時刻設定手段と、前記計測開始時刻になってから装置の電源がオン状態になったか否かを判定する電源オン状態判定手段と、前記電源がオン状態であると判定されたとき、アナログテレビジョンのモードに設定されているかデジタルテレビジョンのモードに設定されているかを検出することによりアナログテレビジョン放送を視聴しているかデジタルテレビジョン放送を視聴しているかを判定する視聴判定手段と、前記アナログテレビジョン放送を視聴していると判定されたとき、前記アナログテレビジョン放送の視聴時間を計測するアナログ視聴時間計測手段と、前記デジタルテレビジョン放送を視聴していると判定されたとき、前記デジタルテレビジョン放送の視聴時間を計測するデジタル視聴時間計測手段と、前記計測終了時刻になったとき、前記計測されたアナログテレビジョン放送の視聴時間と前記計測されたデジタルテレビジョン放送の視聴時間とを比較する視聴時間比較手段と、前記比較により、前記計測されたアナログテレビジョン放送の視聴時間が前記計測されたデジタルテレビジョン放送の視聴時間を超えると判定されたとき、アナログ視聴メモリの値をインクリメントするアナログ視聴インクリメント手段と、前記比較により、前記計測されたアナログテレビジョン放送の視聴時間が前記計測されたデジタルテレビジョン放送の視聴時間未満であると判定されたとき、デジタル視聴メモリの値をインクリメントするデジタル視聴インクリメント手段と、前記比較により、前記計測されたアナログテレビジョン放送の視聴時間と前記計測されたデジタルテレビジョン放送の視聴時間とが同じであると判定されたとき、アナログ視聴メモリの値またはデジタル視聴メモリの値をインクリメントするインクリメント手段と、前記アナログ視聴メモリの値と前記デジタル視聴メモリの値とを比較するメモリ値比較手段と、前記比較により、前記アナログ視聴メモリの値が前記デジタル視聴メモリの値の超えると判定されたとき、アナログ放送の放送信号に含まれる時刻情報に従ってタイマ部の時刻設定を行うためのオートクロックを実施し、前記アナログ視聴メモリの値が前記デジタル視聴メモリの値未満であると判定されたとき、デジタル放送の放送信号に含まれる時刻情報に従ってタイマ部の時刻設定を行うためのオートクロックを実施し、前記アナログ視聴メモリの値と前記デジタル視聴メモリの値とが同じであると判定されたとき、アナログ放送またはデジタル放送の放送信号に含まれる時刻情報に従ってタイマ部の時刻設定を行うためのオートクロックを実施するオートクロック実施手段と、を備えたことを特徴とする放送受信装置を提供する。
【００１０】
この構成においては、計測開始時刻になってから装置の電源がオン状態になると、アナログテレビジョンのモードに設定されているかデジタルテレビジョンのモードに設定されているかが検出されることにより、アナログテレビジョン放送を視聴しているかデジタルテレビジョン放送を視聴しているかが判定される。前記アナログテレビジョン放送を視聴しているかが判定されたとき、アナログテレビジョン放送の視聴時間が計測される。前記デジタルテレビジョン放送を視聴していると判定されたとき、デジタルテレビジョン放送の視聴時間が計測される。
【００１１】
計測終了時刻になったとき、前記計測されたアナログテレビジョン放送の視聴時間と前記計測されたデジタルテレビジョン放送の視聴時間とが比較され、前記計測されたアナログテレビジョン放送の視聴時間が前記計測されたデジタルテレビジョン放送の視聴時間を超えると判定されたとき、アナログ視聴メモリの値がインクリメントされる。前記計測されたアナログテレビジョン放送の視聴時間が前記計測されたデジタルテレビジョン放送の視聴時間未満であると判定されたとき、デジタル視聴メモリの値がインクリメントされる。前記計測されたアナログテレビジョン放送の視聴時間と前記計測されたデジタルテレビジョン放送の視聴時間とが同じであると判定されたとき、アナログ視聴メモリの値またはデジタル視聴メモリの値がインクリメントされる。
【００１２】
前記アナログ視聴メモリの値と前記デジタル視聴メモリの値とが比較され、前記アナログ視聴メモリの値が前記デジタル視聴メモリの値の超えると判定されたとき、アナログ放送の放送信号に含まれる時刻情報に従ってタイマ部の時刻設定を行うためのオートクロックが実施される。前記アナログ視聴メモリの値が前記デジタル視聴メモリの値未満であると判定されたとき、デジタル放送の放送信号に含まれる時刻情報に従ってタイマ部の時刻設定を行うためのオートクロックが実施される。前記アナログ視聴メモリの値と前記デジタル視聴メモリの値とが同じであると判定されたとき、アナログ放送またはデジタル放送の放送信号に含まれる時刻情報に従ってタイマ部の時刻設定を行うためのオートクロックが実施される。
【００１３】
この構成によれば、１日２４時間のうち電源オン状態でのアナログテレビジョン放送の視聴時間または／およびデジタルテレビジョン放送の視聴時間に応じて、タイマ部の時刻設定を行うためのオートクロックを実施することができるので、ユーザの使用環境に合わせて時刻情報を取得するチャンネルを自動で選択でき、これにより、アナログ放送でオートクロックを実施するか、デジタル放送でオートクロックを実施するかの選択操作をする必要がなくなり、使い勝手が向上する。
【００１４】
請求項２の発明では、請求項１の発明において、前記アナログ視聴時間計測手段は、電源オンされ、アナログテレビジョンモードになってからの時間の経過を計測することにより、アナログテレビジョン放送の視聴時間を計測することを特徴とする。したがって、電源オンされ、アナログテレビジョンモードになってからの時間の経過を計測すれば、アナログテレビジョン放送の視聴時間を計測することが可能になる。
【００１５】
請求項３の発明では、請求項１の発明において、前記デジタル視聴時間計測手段は、電源オンされ、デジタルテレビジョンモードになってからの時間の経過を計測することにより、デジタルテレビジョン放送の視聴時間を計測することを特徴とする。したがって、電源オンされ、デジタルテレビジョンモードになってからの時間の経過を計測すれば、デジタルテレビジョン放送の視聴時間を計測することが可能になる。
【００１６】
請求項４の発明では、請求項１の発明において、前記オートクロック実施手段は、装置の電源がオフされているとき、または指定時刻になったとき、オートクロックを実施することを特徴とする。したがって、装置の電源がオフされているとき、または指定時刻になったときに、オートクロックを実施することが可能になる。
【発明の効果】
【００１７】
以上のように本発明によれば、１日２４時間のうち電源オン状態でのアナログテレビジョン放送の視聴時間または／およびデジタルテレビジョン放送の視聴時間に応じて、タイマ部の時刻設定を行うためのオートクロックを実施することができるので、ユーザの使用環境に合わせて時刻情報を取得するチャンネルを自動で選択でき、これにより、アナログ放送でオートクロックを実施するか、デジタル放送でオートクロックを実施するかの選択操作をする必要がなくなり、使い勝手が向上する。
【発明を実施するための最良の形態】
【００１８】
以下、添付図面を参照しつつ、本発明の実施の形態について説明する。図１は本発明の一実施形態に係る放送受信装置を搭載したテレビジョン受像機の構成を示すブロック図である。ここでは、本発明の放送受信装置をテレビジョン受像機に搭載した構成について説明するが、これに限らず、本発明の放送受信装置をＤＶＤレコーダやハードディスクレコーダなどの情報記録再生機器に搭載しても良い。
【００１９】
図１において、テレビジョン受像機１は、放送受信装置Ａを搭載している。放送受信装置Ａは、ＢＳ（放送衛星）／ＣＳ（通信衛星）デジタル放送受信用のアンテナ２に接続された入力端子３と、この入力端子３に接続されたＢＳ／ＣＳチューナ４と、このＢＳ／ＣＳチューナ４に接続されたＰＳＫ（Phase Shift Keying；位相変調）復調器５と、このＰＳＫ復調器５に接続された信号処理部６と、地上デジタル放送受信用のアンテナ７に接続された入力端子８、この入力端子８に接続された地上デジタル放送受信用のチューナ（以下、デジタルチューナと言う）９と、この地上デジタル放送受信用のデジタルチューナ９および信号処理部６に接続したＯＦＤＭ（Orthogonal Frequency Division Multiplexing；直交周波数分割多重）復調器１０と、信号処理部６に接続されたグラフィック処理部１１と、信号処理部６に接続された音声処理部１２と、グラフィック処理部１１に接続されたＯＳＤ（On Screen Display ）信号処理部１３とを備えている。テレビジョン受像機１には、グラフィック処理部１１に接続された映像処理部１４を備えている。
【００２０】
また、放送受信装置Ａは、演算処理や制御を行うＣＰＵ１５、このＣＰＵ１５が実行する制御プログラムを記憶したＲＯＭ１６、ＣＰＵ１５の動作に必要なデータを一時的に格納するＲＡＭ１７、各種の設定情報および制御情報を記憶した不揮発性メモリ１８を有し、テレビジョン受像機１の全体を制御する制御部１９と、入力端子８に接続されたアナログ放送用のチューナ（以下、アナログチューナと言う）２０と、このアナログ放送用のアナログチューナ２０および信号処理部６に接続されたアナログ復調器２１と、制御部１９に接続されたタイマ部２２と、このタイマ部２２に電源供給を行うバックアップ電源２３とを備えている。
【００２１】
アンテナ２としては、通常、パラボラアンテナが用いられ、アンテナ７としては、地上波受信用の例えば、八木アンテナが用いられる。ＢＳ／ＣＳチューナ４は、衛星デジタル放送受信用であり、制御部１９の制御によって選局を行い、衛星デジタルテレビジョン放送信号を受信する。ＰＳＫ復調器５は、衛星デジタルテレビジョン放送信号をデジタルの映像信号と音声信号に復調する。
【００２２】
デジタルチューナ９は、地上デジタル放送受信用のチューナであり、制御部１９の制御によって選局を行い、地上デジタルテレビジョン放送信号を受信する。ＯＦＤＭ復調器１０は、地上デジタルテレビジョン放送信号をデジタルの映像信号と音声信号に復調する。
【００２３】
アナログチューナ２０は、従来からのアナログ放送受信用のチューナであり、制御部１９の制御によって選局を行い、アナログテレビジョン放送信号を受信する。アナログ復調器２１は、アナログテレビジョン放送信号をアナログによる映像信号と音声信号に復調する。
【００２４】
信号処理部６は、ＰＳＫ復調器５から供給されたデジタルの映像信号および音声信号と、ＯＦＤＭ復調器１０から供給されたデジタルの映像信号および音声信号とに対して、選択的に所定のデジタル信号処理を施し、グラフィック処理部１１および音声処理部１２へ出力する。また、信号処理部６は、アナログ復調器２１による復調信号をデジタル化し、それぞれの結果をグラフィック処理部１１および音声処理部１２へ出力する。
【００２５】
グラフィック処理部１１は、信号処理部６からのデジタルの映像信号に、ＯＳＤ信号生成部１３で生成されたＯＳＤ信号を重畳して出力する。また、グラフィック処理部１１は、信号処理部６からの映像信号とＯＳＤ信号生成部１３からのＯＳＤ信号を選択的に出力し、あるいは両方からの出力画面が半分づつを占めるように出力する。
【００２６】
テレビジョン受像機１の音声処理部１２は、信号処理部６からのデジタルによる音声信号を、テレビジョン受像機１のスピーカ２４が音声化可能なアナログ音声信号に変換すると共に、そのアナログ音声信号を増幅して出力する。テレビジョン受像機１の映像処理部１２は、グラフィック処理部１１からのデジタル映像信号を、テレビジョン受像機１の映像表示器２５が表示可能なフォーマットのアナログ映像信号に変換して映像表示器２５へ出力する。
【００２７】
制御部１９は、操作部２６からの操作信号を受け、またはリモコン（リモートコントローラ）２７からの赤外線の操作信号を受光部２８を介して受信し、その操作信号を反映した制御を行う。タイマ部２２は、例えば、水晶発振回路、分周回路などにより基準クロック信号を生成し、この基準クロック信号に基づいて時刻情報を生成するリアルタイムクロック機能、単独で動作をする自走機能、および外部から時刻情報を更新できる機能（アナログ放送信号またはデジタル放送信号に含まれる時刻情報に従ってタイマ部２２が計時している現在時刻の更新機能）を有している。このタイマ部２２は、電源オフ時には、バックアップ電源２３を電源にして動作し、テレビジョン受像機１が電源オフになっても時計動作を継続する。
【００２８】
制御部１９のＣＰＵ１５は、１日２４時間のうちでアナログテレビジョン放送の視聴時間または／およびデジタルテレビジョン放送の視聴時間の計測を行うための計測開始時刻および計測終了時刻を予め不揮発性メモリ１８に設定する計測開始時刻／計測終了時刻設定手段と、前記計測開始時刻になってから装置の電源がオン状態になったか否かを判定する電源オン状態判定手段と、前記電源がオン状態であると判定されたとき、アナログテレビジョンのモードに設定されているかデジタルテレビジョンのモードに設定されているかを検出することによりアナログテレビジョン放送を視聴しているかデジタルテレビジョン放送を視聴しているかを判定する視聴判定手段と、前記アナログテレビジョン放送を視聴していると判定されたとき、前記アナログテレビジョン放送の視聴時間を計測するアナログ視聴時間計測手段と、前記デジタルテレビジョン放送を視聴していると判定されたとき、前記デジタルテレビジョン放送の視聴時間を計測するデジタル視聴時間計測手段との機能を有している。
【００２９】
また、ＣＰＵ１５は、前記計測終了時刻になったとき、前記計測されたアナログテレビジョン放送の視聴時間と前記計測されたデジタルテレビジョン放送の視聴時間とを比較する視聴時間比較手段と、前記比較により、前記計測されたアナログテレビジョン放送の視聴時間が前記計測されたデジタルテレビジョン放送の視聴時間を超えると判定されたとき、アナログ視聴メモリの値をインクリメントするアナログ視聴インクリメント手段と、前記比較により、前記計測されたアナログテレビジョン放送の視聴時間が前記計測されたデジタルテレビジョン放送の視聴時間未満であると判定されたとき、デジタル視聴メモリの値をインクリメントするデジタル視聴インクリメント手段と、前記比較により、前記計測されたアナログテレビジョン放送の視聴時間と前記計測されたデジタルテレビジョン放送の視聴時間とが同じであると判定されたとき、アナログ視聴メモリの値またはデジタル視聴メモリの値をインクリメントするインクリメント手段と、前記アナログ視聴メモリの値と前記デジタル視聴メモリの値とを比較するメモリ値比較手段と、前記比較により、前記アナログ視聴メモリの値が前記デジタル視聴メモリの値の超えると判定されたとき、アナログ放送の放送信号に含まれる時刻情報に従ってタイマ部の時刻設定を行うためのオートクロックを実施し、前記アナログ視聴メモリの値が前記デジタル視聴メモリの値未満であると判定されたとき、デジタル放送の放送信号に含まれる時刻情報に従ってタイマ部の時刻設定を行うためのオートクロックを実施し、前記アナログ視聴メモリの値と前記デジタル視聴メモリの値とが同じであると判定されたとき、アナログ放送またはデジタル放送の放送信号に含まれる時刻情報に従ってタイマ部の時刻設定を行うためのオートクロックを実施するオートクロック実施手段との機能を有している。
【００３０】
次に、テレビジョン受像機１の全体の動作について説明する。ユーザが、操作部２６またはリモコン２７の電源キーを押下すると、テレビジョン受像機１の電源がオンになる。テレビジョン受像機１の購入後の設置、電源コードを抜いたまま長時間放置した後などにおいて電源を投入したとき、リモコン２７などを用いてユーザが時刻情報を設定した場合、この時刻情報を制御部１９によりＲＡＭ１７に格納し、この時刻情報を読み出してタイマ部２３への時刻設定を実施する。以後、タイマ部２３は、自走して計時を続けるが、ＢＳ／ＣＳチューナ４、またはデジタルチューナ９により受信されたデジタル放送信号に含まれる時刻情報、またはアナログチューナ２０により受信されたアナログ放送信号に含まれる時刻情報を得ることにより、現在時刻が正しくなるように更新する。
【００３１】
ここで、ユーザがリモコン２７を操作して、ＢＳ／ＣＳデジタル放送、地上デジタル放送、またはアナログ放送の一つを選択すると、この選択に応じて、制御部１９は、チューナ４，９，２０の内の対応する一つを動作状態にする。例えば、ＢＳ／ＣＳデジタル放送が選択された場合は、アンテナ２で受信したデジタルテレビジョン放送信号は、ＢＳ／ＣＳチューナ４に入力される。ユーザが所望のチャンネルを選択すると、そのチャンネルの放送信号はＰＳＫ復調器５に入力される。ＰＳＫ復調器５は、デジタルの映像信号とデジタルの音声信号とデータ信号に復調した後、この復調信号を信号処理部６へ出力する。
【００３２】
また、アンテナ７で受信した地上デジタルおよびアナログのテレビジョン放送信号は、デジタルチューナ９およびアナログチューナ２０に入力される。デジタルチューナ９で選局された地上デジタル放送信号は、ＯＦＤＭ復調器１３によってデジタルの映像信号とデジタルの音声信号とデータ信号に復調された後、信号処理部６へ出力される。アナログチューナ２０で選局された地上アナログ放送信号は、アナログ復調器２１によってアナログの映像信号とアナログの音声信号とデータ信号に復調された後、信号処理部６へ出力される。
【００３３】
信号処理部６は、受信側からの復調信号に対し、放送系統ごとに映像信号と音声信号に所定のデジタル信号処理を施し、グラフィック処理部１１および音声処理部１２へ出力する。また、信号処理部６は、ＢＳデータ放送または地上波データ放送の情報から時刻情報を抽出し、制御部１９内のＲＡＭ１７に一旦格納する。制御部１９は、自走しているタイマ部２２の時刻情報を読み込み、この時刻情報がデータ放送から入力した時刻情報と比べてずれている場合は、データ放送より得られた時刻情報をＲＡＭ１７より取り出し、タイマ部２２に設定する。即ち、制御部１９は、タイマ部２２により計時されている時刻が正しい現在時刻になるように時刻を修正する。
【００３４】
テレビジョン受像機１の電源がオフされたり、電源コードが引き抜かれた場合、あるいは、降雨、降雪、月食などにより、デジタル放送の電波の受信状態が悪くなったりした場合、デジタル放送側からの時刻情報の入手ができなくなり、タイマ部２２の時刻更新は行われなくなる。電源オフになっても、バックアップ電源２３からタイマ部２２に電源供給が行われ、タイマ部２２は機能を維持する。これにより、時刻情報は更新され、電源オフ後に電源を立ち上げた際、制御部１９は、タイマ部２２より時刻情報を取り込み、ＯＳＤ信号生成部１３へ出力する。ＯＳＤ信号生成部１３は、時刻情報を文字情報に変換してグラフィック処理部１１へ出力する。グラフィック処理部１１は、文字情報を信号処理部６からの映像信号に重畳し、更に映像処理部１４によって色調整が行われる。このようにして得られた映像信号が、映像表示器２５に時刻情報として時計が表示される。
【００３５】
グラフィック処理部１１からのデジタル映像信号は、映像処理部１４によって、映像表示部２５で表示可能なフォーマットのアナログ映像信号に変換された後、映像表示器２５に入力される。また、音声処理部１２では、信号処理部６からのデジタルによる音声信号をアナログの音声信号に変換し、このアナログの音声信号によりスピーカ２４を駆動させ、スピーカ２４から音声を出力させる。
【００３６】
図２は本実施形態においてチューナへのチャンネル登録を自動的に行うオートチャンネルサーチの処理を説明するためのフローチャートである。このフローチャートおよび図１を参照してチューナへのチャンネル登録を自動的に行うオートチャンネルサーチの処理について説明する。
【００３７】
本実施形態におけるオートチャンネルサーチは、無線でアナログ放送信号を送信するＮＴＳＣ方式のアナログテレビジョン放送の場合、アナログチューナ２０によりアナログ放送の２〜６９チャンネルの選局を行い、次に、無線でデジタル放送信号を送信するＡＴＳＣ（米国テレビジョン規格委員会）方式のデジタルテレビジョン放送の場合、デジタルチューナ９によりデジタル放送の２〜６９チャンネルの選局を行うものとして説明するが、このようなチャンネルの選局に限ることはない。
【００３８】
なお、オートチャンネルサーチとしては、ケーブルでアナログ放送信号を送信するＮＴＳＣ方式のアナログケーブルテレビジョン放送の場合、アナログチューナ２０によりアナログ放送の１〜１２５チャンネルの選局を行い、次に、ケーブルでデジタル放送信号を送信するＡＴＳＣ方式のデジタルケーブルテレビジョン放送の場合、デジタルチューナ９によりデジタル放送の１〜１２５チャンネルの選局を行うものもある。
【００３９】
先ず、リモコン２７により、セットアップメニュー画面を映像表示器２５に表示させるための操作が行われると、制御部１９は、ＲＯＭ１６からセットアップメニュー画面データを読み出すことにより、映像表示器２５にセットアップメニュー画面を表示させる（ステップＳ１）。そして、制御部１９は、セットアップメニュー画面に表示された項目の中からオートチャンネルサーチの項目が、リモコン２７の操作により、選択され決定されたことを検知すると（ステップＳ２）、ＲＯＭ１６からオートチャンネルサーチに関する設定画面データを読み出すことにより、設定画面を映像表示器２５に表示させる（ステップＳ３）。
【００４０】
そして、制御部１９は、オートチャンネルサーチ開始操作がされたことを検知すると（ステップＳ４）、アナログチューナ２０を選局動作させ、オートチャンネルサーチを開始する（ステップＳ５）。即ち、制御部１９におけるＣＰＵ１５のアナログチャンネル登録手段は、アナログチューナ２０へのチャンネル登録をオートチャンネルサーチで行うことを開始する。そして、前記アナログチャンネル登録手段は、アナログチューナ２０が、例えばアナログ放送の２〜６９チャンネルを選局するように制御し（ステップＳ６）、該当するアナログ放送局が有れば（ステップＳ７）、そのアナログ放送局のチャンネルを不揮発性メモリ１８に登録する（ステップＳ８）。
【００４１】
このようにして、アナログ放送局に対するオートチャンネルサーチが終了すると（ステップＳ９）、制御部１９におけるＣＰＵ１５のデジタルチャンネル登録手段は、デジタルチューナ９へのチャンネル登録をオートチャンネルサーチで行う。そして、前記デジタルチャンネル登録手段は、デジタルチューナ９が、例えば、デジタル放送の２〜６９チャンネルを選局するように制御し（ステップＳ１０）、該当するデジタル放送局が有れば（ステップＳ１１）、そのデジタル放送局のチャンネルを不揮発性メモリ１８に登録する（ステップＳ１２）。このような処理により、デジタル放送局に対するオートチャンネルサーチが終了すると（ステップＳ１３）、本オートチャンネルサーチに関する処理は終了する。
【００４２】
図３は本実施形態においてオートクロックを実施するまでの処理を説明するためのフローチャートである。このフローチャートおよび図１、図２を参照してオートクロックを実施するまでの処理について説明する。
【００４３】
制御部１９におけるＣＰＵ１５の計測開始時刻／計測終了時刻設定手段は、１日２４時間のうちでアナログテレビジョン放送の視聴時間または／およびデジタルテレビジョン放送の視聴時間の計測を行うための計測開始時刻および計測終了時刻を予め不揮発性メモリ１８に設定する。この不揮発性メモリ１８への計測開始時刻および計測終了時刻の設定は、ユーザによるリモコン２７の操作で、セットアップメニュー画面を映像表示器２５に表示させ、所望する時刻を入力することにより、自由に設定することができる。
【００４４】
ＣＰＵ１５の電源オン状態判定手段は、タイマ部２２で計時されている現在時刻が不揮発性メモリ１８に設定されている計測開始時刻（例えば、ＡＭ１２：００）になったことを検出すると（ステップＮ１）、この後、テレビジョン受像機１の電源（主電源）がオン状態になったか否かを判定する（ステップＮ２）。前記電源がオン状態であると判定されたとき、ＣＰＵ１５の視聴判定手段は、アナログテレビジョンのモードに設定されているかデジタルテレビジョンのモードに設定されているかを検出することにより、ユーザがアナログテレビジョン放送を視聴しているかデジタルテレビジョン放送を視聴しているかを判定する（ステップＮ３）。
【００４５】
前記アナログテレビジョン放送を視聴していると判定されたとき、ＣＰＵ１５のアナログ視聴時間計測手段は、電源オンされ、アナログテレビジョンモードになってからの時間の経過を計測することにより、前記アナログテレビジョン放送の視聴時間を計測する（ステップＮ４）。前記デジタルテレビジョン放送を視聴していると判定されたとき、ＣＰＵ１５のデジタル視聴時間計測手段は、デジタルテレビジョンモードになってからの時間の経過を計測することにより、デジタルテレビジョン放送の視聴時間を計測する（ステップＮ５）。
【００４６】
そして、ＣＰＵ１５は、タイマ部２２で計時されている現在時刻が不揮発性メモリ１８に設定されている計測終了時刻（例えば、ＰＭ１１：５９）になったことを検出すると（ステップＮ６）、ＣＰＵ１５の視聴時間比較手段は、前記計測されたアナログテレビジョン放送の視聴時間と前記計測されたデジタルテレビジョン放送の視聴時間とを比較する（ステップＮ７）。
【００４７】
前記比較により、前記計測されたアナログテレビジョン放送の視聴時間ＡＴが前記計測されたデジタルテレビジョン放送の視聴時間ＤＴ以上であると判定されたとき、ＣＰＵ１５のアナログ視聴インクリメント手段は、アナログ視聴メモリの値をインクリメントする。即ち、アナログ視聴インクリメント手段は、アナログ視聴メモリに＋１を記憶させる（ステップＮ８）。アナログ視聴メモリとしては、不揮発性メモリ１８の予め定められた領域が用いられる。
【００４８】
前記比較により、前記計測されたアナログテレビジョン放送の視聴時間ＡＴが前記計測されたデジタルテレビジョン放送の視聴時間ＤＴ未満であると判定されたとき、デジタル視聴インクリメント手段は、ＣＰＵ１５のデジタル視聴メモリの値をインクリメントする。即ち、デジタル視聴インクリメント手段は、デジタル視聴メモリに＋１を記憶させる（ステップＮ９）。デジタル視聴メモリとしては、不揮発性メモリ１８の予め定められた領域が用いられる。
【００４９】
なお、前記計測されたアナログテレビジョン放送の視聴時間ＡＴが前記計測されたデジタルテレビジョン放送の視聴時間ＤＴ以上であるか否かの判定は、視聴時間ＡＴと視聴時間ＤＴとが同じであると言う判定も含まれているが、この同じであると言う判定の場合、デジタル視聴メモリの値をインクリメントしても良い。
【００５０】
次に、ＣＰＵ１５のメモリ値比較手段は、前記アナログ視聴メモリの値（Ａメモリ値）と前記デジタル視聴メモリの値（Ｂメモリ値）とを比較する（ステップＮ１０）。前記比較により、前記アナログ視聴メモリの値が前記デジタル視聴メモリの値以上であると判定されたとき、ＣＰＵ１５のオートクロック実施手段は、アナログ放送の放送信号に含まれる時刻情報に従ってタイマ部２２の時刻設定を行うためのオートクロックを実施する（ステップＮ１１）。これにより、タイマ部２２には、現在の時刻が設定される。
【００５１】
前記アナログ視聴メモリの値が前記デジタル視聴メモリの値未満であると判定されたとき、ＣＰＵ１５のオートクロック実施手段は、デジタル放送の放送信号に含まれる時刻情報に従ってタイマ部の時刻設定を行うためのオートクロックを実施する（ステップＮ１２）。これにより、タイマ部２２には、現在の時刻が設定される。
【００５２】
なお、前記アナログ視聴メモリの値が前記デジタル視聴メモリの値以上であるか否かの判定は、前記アナログ視聴メモリの値と前記デジタル視聴メモリの値とが同じであると言う判定も含まれているが、前記アナログ視聴メモリの値と前記デジタル視聴メモリの値とが同じである場合は、デジタル放送の放送信号に含まれる時刻情報に従ってタイマ部２２の時刻設定を行うようにしても良い。
【００５３】
図４は本実施形態において電源オフしているときまたは指定時刻になったときにオートクロックを実施する場合の処理を説明するためのフローチャートである。このフローチャートおよび図１、図２を参照して電源オフしているときまたは指定時刻になったときにオートクロックを実施する場合の処理について説明する。
【００５４】
前述したように、ＣＰＵ１５のメモリ値比較手段は、アナログ視聴メモリの値（Ａメモリ値）とデジタル視聴メモリの値（Ｂメモリ値）とを比較し（ステップＮ１０）、アナログ視聴メモリの値がデジタル視聴メモリの値以上であると判定したとき、ＣＰＵ１５のオートクロック実施手段は、装置の電源（主電源）がオフされているか否かを判定する（ステップＭ１）。
【００５５】
装置の電源がオフされていると判定されたとき、オートクロック実施手段は、アナログ放送の放送信号に含まれる時刻情報に従ってタイマ部２２の時刻設定を行うためのオートクロックを実施する（ステップＮ１１）。これにより、タイマ部２２には、現在の時刻が設定される。装置の電源がオンされていると判定されたとき、オートクロック実施手段は、指定時刻になったか否かを判定し（ステップＭ２）、指定時刻になったと判定したとき、アナログ放送の放送信号に含まれる時刻情報に従ってタイマ部２２の時刻設定を行うためのオートクロックを実施する（ステップＮ１１）。
【００５６】
ＣＰＵ１５のメモリ値比較手段は、アナログ視聴メモリの値（Ａメモリ値）とデジタル視聴メモリの値（Ｂメモリ値）とを比較し（ステップＮ１０）、アナログ視聴メモリの値がデジタル視聴メモリの値未満であると判定したとき、ＣＰＵ１５のオートクロック実施手段は、装置の電源（主電源）がオフされているか否かを判定する（ステップＭ３）。
【００５７】
装置の電源がオフされていると判定されたとき、オートクロック実施手段は、デジタル放送の放送信号に含まれる時刻情報に従ってタイマ部２２の時刻設定を行うためのオートクロックを実施する（ステップＮ１２）。これにより、タイマ部２２には、現在の時刻が設定される。装置の電源がオンされていると判定されたとき、オートクロック実施手段は、指定時刻になったか否かを判定し（ステップＭ４）、指定時刻になったと判定したとき、デジタル放送の放送信号に含まれる時刻情報に従ってタイマ部２２の時刻設定を行うためのオートクロックを実施する（ステップＮ１２）。
【００５８】
以上説明したように本実施形態によれば、１日２４時間のうち電源オン状態でのアナログテレビジョン放送の視聴時間または／およびデジタルテレビジョン放送の視聴時間に応じて、タイマ部の時刻設定を行うためのオートクロックを実施することができるので、ユーザの使用環境に合わせて時刻情報を取得するチャンネルを自動で選択でき、これにより、アナログ放送でオートクロックを実施するか、デジタル放送でオートクロックを実施するかの選択操作をする必要がなくなり、使い勝手が向上する。
【００５９】
例えば、北米向けのテレビジョン受像機やＤＶＤレコーダなどのように、アナログチューナおよびデジタルチューナが搭載されている電子機器において、オートクロックによる時刻情報を取得するチャンネルを、アナログ放送から取得するか、デジタル放送から取得するかを自動で判別でき、ユーザにとっては使い勝手が向上する。
【産業上の利用可能性】
【００６０】
本発明は、テレビジョン受像機、ＤＶＤレコーダ、ハードディスクレコーダなどのタイマ部に対する時刻設定の機能に利用可能である。
【図面の簡単な説明】
【００６１】
【図１】本発明の一実施形態に係る放送受信装置を搭載したテレビジョン受像機の構成を示すブロック図である。
【図２】前記実施形態においてチューナへのチャンネル登録を自動的に行うオートチャンネルサーチの処理を説明するためのフローチャートである。
【図３】前記実施形態においてオートクロックを実施するまでの処理を説明するためのフローチャートである。
【図４】前記実施形態において電源オフしているときまたは指定時刻になったときにオートクロックを実施する場合の処理を説明するためのフローチャートである。
【符号の説明】
【００６２】
Ａ    放送受信装置
９    デジタルチューナ
１５    ＣＰＵ（計測開始時刻／計測終了時刻設定手段、電源オン状態判定手段、視聴判定手段、アナログ視聴時間計測手段、デジタル視聴時間計測手段、視聴時間比較手段、アナログ視聴インクリメント手段、デジタル視聴インクリメント手段、インクリメント手段、メモリ値比較手段、オートクロック実施手段）
１８    不揮発性メモリ（メモリ、アナログ視聴メモリ、デジタル視聴メモリ）
２０    アナログチューナ
２２    タイマ部
【図１】
2009071760.tif 000003
【図２】
2009071760.tif 000004
【図３】
2009071760.tif 000005
【図４】
2009071760.tif 000006